(57)【要約】【課題】半裁体の結合による新規な構造の、自由な方向に対して屈曲調整可能な手摺り杆の接続具を提供する。【解決手段】左右一対の受け部材１、１と、左右の球状部２ｂ、２ｂが縊れ部２ａを介して一体連結された二連球状部材２とからなり、前記各受け部材１、１の先端には前記二連球状部材２の一方の球状部２ａの球面の半分以上を覆う球面受け部１ａが形成され、受け部材１の後端には手摺り杆３の端部を受け入れて手摺り杆３を取り付ける受け穴１ｂが設けられており、前記各受け部材１、１が受け穴１ｂの軸芯に沿って半割した合成樹脂製半裁体１１、１１の結合により形成されている構造。【選択図】        図２
2004316131.tif 000002
【特許請求の範囲】
【請求項１】
左右一対の受け部材（１）、（１）と、左右の球状部（２ｂ）、（２ｂ）が縊れ部（２ａ）を介して一体連結された二連球状部材（２）とからなり、前記各受け部材（１）、（１）の先端には前記二連球状部材（２）の一方の球状部（２ｂ）の球面の半分以上を覆う球面受け部（１ａ）が形成され、受け部材（１）の後端には手摺り杆（３）の端部を受け入れて手摺り杆（３）を取り付ける受け穴（１ｂ）が設けられており、前記各受け部材（１）、（１）が受け穴（１ｂ）の軸芯に沿って半割した合成樹脂製半裁体（１１）、（１１）の結合により形成されている手摺り杆の接続具。
【請求項２】
前記各半裁体（１１）、（１１）は互いに嵌合する凸片（１２）と凹部（１３）を備え、該凸片（１２）と凹部（１３）とが嵌合した状態でビス（１４）により結合されて
いる請求項１に記載の手摺り杆の接続具。
【請求項３】
前記二連球状部材（２）が各球状部（２ｂ）、（２ｂ）の中心を結ぶ仮想線に沿って半割された合成樹脂製半裁体（２１）、（２１）の結合によって形成されている請求項１または請求項２に記載の手摺り杆の接続具。
【発明の詳細な説明】
【０００１】
【発明が属する技術分野】
本発明は、階段や廊下等の壁面に取り付けられる手摺り杆同士を接続する接続具の改良に関するものである。
【０００２】
【従来の技術】
従来から手摺り杆同士をその端末で接合するのに、ユニバーサルジョイントのように、球状又は半球状の部材を介して連結角度調整可能に接合するようにした接続具は種々のものがある。例えば手摺り杆の端末同士を単に突き合わせた状態で分離可能に接合したものでは特開平２００１ー２０７６１２号公報や特開平２００２ー６１３６６号公報に示すものがあり、分離不可に連結したものでは特開平１０−２９２５９４号公報や特開平１１−９３３６７号公報、特開平２０００−５４５８６号公報に示すものがある。
【０００３】
【発明が解決しようとする課題】
上記の手摺り杆の端末同士を単に突き合わせた状態で分離可能に接合したタイプのもには、受け部材を球状部材に突き合わせるだけでよいから構造が簡単であるが、左右の手摺り杆は連結されておらず、各手摺り杆を連続して一体的に結合したいときは利用することができない。また後者の手摺り杆同士を分離不可に連結するタイプでは、構造が複雑で組み付けが面倒であると共に、左右の手摺り杆の屈曲方向が接続具の軸芯に組み込まれた軸ピンと長孔によって一定方向に限定され、自由な角度に調整することができない。
【０００４】
そこで本発明は、左右の手摺り杆を分離不可に且つ自由な角度に調整可能な状態で接続できるものであって、球状部材を受ける受け部材を半裁体で形成してこの半裁体同士を球状部材の外側から抱くように接合することにより簡単に組み付けることがる接続具を樹脂成形品で安価に提供することを主たる目的とするものである。
【０００５】
【課題を解決するための手段】
上記目的を達成する為に本発明では次のような技術的手段を講じた。即ち、本発明にかかる手摺りの杆の接続具にあっては、左右一対の受け部材１、１と、左右の球状部２ｂ、２ｂが縊れ部２ａを介して一体連結された二連球状部材２とからなり、前記各受け部材１、１の先端には前記二連球状部材２の一方の球状部２ｂの球面の半分以上を覆う球面受け部１ａが形成され、受け部材１の後端には手摺り杆３の端部を受け入れて手摺り杆３を取り付ける受け穴１ｂが設けられており、前記各受け部材１、１が受け穴１ｂの軸芯に沿って半割した合成樹脂製半裁体１１、１１の結合により形成されている構造とした。
【０００６】
前記各半裁体１１、１１は、相対する面に互いに嵌合する凸片１２と凹部１３を設けて、これら凸片１２と凹部１３とを嵌合した状態で凸片１２を凹部１３にビス１４により結合するように形成するのが好ましい。
【０００７】
また、前記二連球状部材２が、各球状部２ｂ、２ｂの中心を結ぶ仮想線に沿って半割された合成樹脂製半裁体２１、２１の結合によって形成するのがよい。この場合、各半裁体２１，２１の相対する面に互いに嵌合するピン２２とピン穴２３を設けてこれらを嵌合することにより両者を結合するのがよい。
【０００８】
【発明の実施の形態】
以下本発明にかかる手摺りの接続具について図１乃至図７に示した実施例に基づき説明する。本発明にかかる接続具は、略円筒状の形態をなす左右一対の受け部材１、１と、左右の球状部２ｂ、２ｂが縊れ部２ａを介して一体連結された二連球状部材２とから構成される。
【０００９】
上記の各受け部材１、１は、その先端に前記二連球状部材２の一方の球状部２ｂの球面の半分以上を覆う球面受け部１ａが形成され、後端には手摺り杆３の端部を受け入れて手摺り杆３を連結する受け穴１ｂが設けられている。更に、前記各受け部材１、１は受け穴１ｂの軸芯に沿って半割した合成樹脂製の半裁体１１、１１の結合により形成されている。
【００１０】
前記各半裁体１１、１１は、相対する面に互いに嵌合する凸片１２と凹部１３が設けられており、これら凸片１２と凹部１３とを嵌合した状態で凸片１２に設けたビス差込穴１７から凹部１２に形成したネジ孔１５にビス１４を螺合することにより両半裁体１１，１１が結合されている。これによりビス１４が外部に露見することをなくして受け部材の美観を保持することができる。また接続具を組成するときに、半裁体１１、１１を二連球状部材２の球状部２ｂに対して両側から抱合するように被せて各半裁体１１，１１を結合することにより簡単に二連球状部材２と受け部材１とを分離不可に組み付けることができる。
【００１１】
また、前記二連球状部材２は、各球状部２ｂ、２ｂの中心を結ぶ仮想線に沿って半割された合成樹脂製の半裁体２１、２１の合体によって内部中空状に形成されている。該半裁体２１，２１は相対する面に互いに嵌合するピン２２とピン穴２３が設けられ、これらを緊密に嵌合することにより結合されている。これにより二連球状部材２を安価な樹脂成形品で製作することができる。
【００１２】
上記の如く構成された接続具は図１並びに図２の仮想線で示すように、左右の受け穴１ｂ、１ｂに手摺り杆３、３の端部を差し込んでビス穴１６，１６を介してビス止めすることにより左右の手摺り杆１，１を自由な角度に調整可能な状態で連結することができる。
【００１３】
また上記実施例で示した構造では次のような利点もある。即ち、球状又は半球状の部材を介して自由な角度に屈曲可能に且つ分離不可に接合するためには、図８の（イ）に示すように球状部２ｂを受ける受け部材が球状部２ｂの球面の半分以上を覆うように、即ちオーバーハングするように組み付けなくてはならないので、この受け部材を合成樹脂成形品で一体成形するためには金型の構造上、受け部材と球状部１ｂの球面との接触部分がオーバーハングした部分Ｌ１に限られる。しかし上記実施例では受け部材１が半割された半裁体１１，１１の結合によって形成されているから、図８の（ロ）に示すように球面との接触部分Ｌ２を多く取ることができてスムースな滑動と確実な連結を期待することができる。
【００１４】
以上本発明の一実施例について説明したが、本発明は必ずしもこれらの実施例構造のみに限定されるものではない。例えば受け部材１の半裁体１１、１１同士の結合手段は上記実施例に限らず、互いにかみ合う係合爪と係合凹部等を介して単に係合手段のみで結合するようにしてもよく、或いは外面から直接的にビスで結合するようにしてもよい。その他本発明ではその構成要件を備え、かつ本発明の目的を達成し、下記の効果を奏する範囲内において適宜改変して実施することができるものである。
【００１５】
【発明の効果】
本発明は上記の如く構成したものであるから、二連球状部材の左右の球状部に対して両側から夫々受け部材の半裁体を抱合するように被せて各半裁体を結合することにより簡単に二連球状部材と左右の受け部材１とを分離不可に組み付けることができ、且つ組み付けた状態において左右の受け部材がユニバーサルジョイントと同じように自由な角度にスムースに屈曲調整することができるといった効果がある。
【図面の簡単な説明】
【図１】本発明に係る接続具の一実施例を示す平面図。
【図２】上記接続具の正面図。
【図３】上記接続具における受け部材を分解した状態を示す側面図。
【図４】図３におけるＡ−Ａ線に沿った断面図。
【図５】本発明における受け部材の半裁体を組み付けた状態を示す側面図。
【図６】本発明における二連球状部材を分解した状態を示す正面図。
【図７】図６におけるＢ−Ｂ線に沿った断面図。
【図８】本発明の効果を示す為の説明図。
【符号の説明】
１  受け部材
１ａ  球面受け部
１ｂ  受け穴
１１  受け部材の半裁体
１２  半裁体の凸片
１３  半裁体の凹部
１４  ビス
２  二連球状部材
２ａ  縊れ部
２ｂ  球状部
２１  二連球状部材の半裁体
３  手摺り杆
【図１】
2004316131.tif 000003
【図２】
2004316131.tif 000004
【図３】
2004316131.tif 000005
【図４】
2004316131.tif 000006
【図５】
2004316131.tif 000007
【図６】
2004316131.tif 000008
【図７】
2004316131.tif 000009
【図８】
2004316131.tif 000010